【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
タッチ対応デバイスのタッチスクリーンディスプレイの一部上に配置され、ユーザが表示されたオブジェクトを視認することができ、バイオメトリックオブジェクトの接触時に、前記タッチスクリーン層に向けて光子を放出する透明発光層と、
前記タッチスクリーンディスプレイの前記一部で、前記透明発光層の下に配置され、前記透明発光層によって放出された前記光子の少なくとも一部を、前記バイオメトリックオブジェクトの少なくとも一部の表現を含む画像を示すデータに変換する画像キャプチャコンポーネントと、を含み、
前記画像キャプチャコンポーネントは、前記ユーザが前記タッチスクリーンディスプレイの前記一部で、前記タッチスクリーンディスプレイ上のオブジェクトを視認することを可能にすることを特徴とするバイオメトリックセンサシステム。
【請求項２】
前記発光層は、前記バイオメトリックオブジェクトから受け取った電荷に応答して前記光子を放出するエレクトロルミネセンス層を含む請求項１に記載のシステム。
【請求項３】
前記発光層は、前記エレクトロルミネセンス層上に配置された誘電体層を含む請求項２に記載のシステム。
【請求項４】
前記発光層は、前記エレクトロルミネセンス層上に配置された遮蔽層を含み、
前記遮蔽層は、前記エレクトロルミネセンス層の上部表面から光子の放出を軽減するように構成されている請求項２または３に記載のシステム。
【請求項５】
前記発光層上に配置された透明保護層を含む請求項１に記載のシステム。
【請求項６】
前記透明画像キャプチャコンポーネントは、透明基板層上に配置された透明電極層を含む請求項１に記載のシステム。
【請求項７】
前記画像キャプチャコンポーネントは、前記発光層と前記タッチスクリーンディスプレイとの間に配置され、透明薄膜画像センサを含む請求項１に記載のシステム。
【請求項８】
前記画像キャプチャコンポーネントは、
前記画像を示す前記データから前記バイオメトリックオブジェクトを表す画像を生成する画像プロセッサ、および、
前記デバイス上の機能を開始するために、前記画像を示す前記データを使用するデータプロセッサ、
の一方または両方と通信接続されている請求項７に記載のシステム。
【請求項９】
前記通信接続は、無線データ伝送接続および有線データバス接続の一方を含む請求項８に記載のシステム。
【請求項１０】
前記画像キャプチャコンポーネントは、前記タッチスクリーンディスプレイの下に配置され、
前記タッチスクリーンディスプレイは、前記発光層と前記画像キャプチャコンポーネントとの間に配置されている請求項１に記載のシステム。
【請求項１１】
前記画像キャプチャコンポーネントは、前記バイオメトリックオブジェクトの前記少なくとも一部の前記表現を含む前記画像をキャプチャする画像センサに、前記発光層によって放出された前記光子の少なくとも一部を向ける光学部品を含む請求項１０に記載のシステム。
【請求項１２】
バイオメトリックセンサシステムを製造する方法であって、
タッチ対応デバイスに含まれるタッチスクリーンディスプレイの一部上に透明発光層を形成する工程と、
前記タッチスクリーンディスプレイの前記一部で、前記透明発光層の下に透明画像キャプチャコンポーネントを形成する工程と、
を含み、
前記発光層は、バイオメトリックオブジェクトの接触時に、前記タッチスクリーンディスプレイに向けて光を放出し、ユーザが前記タッチスクリーンディスプレイ上に表示されたオブジェクトを前記発光層を介して視認することを可能にし、
前記発光層によって放出された前記光の少なくとも一部は、画像センサによって受信され、
前記画像センサは、前記受信された光を、前記バイオメトリックオブジェクトの少なくとも一部の表現を含む画像を示すデータに変換し、
前記透明画像キャプチャコンポーネントは、前記ユーザが前記タッチスクリーンディスプレイの前記一部で前記タッチスクリーンディスプレイ上に表示された前記オブジェクトを視認することを可能にすることを特徴とするバイオメトリックセンサシステムを製造する方法。
【請求項１３】
前記タッチスクリーンディスプレイの前記一部上に前記発光層を形成する工程は、
前記発光層の底面の下に薄膜画像センサを動作可能に接続する工程と、
前記タッチスクリーンディスプレイの前記一部の上に、前記薄膜画像センサおよび前記発光層を組み合わせて形成する工程と、を含み、
前記薄膜画像センサは、前記放出された光の前記少なくとも一部を、前記バイオメトリックオブジェクトの前記少なくとも一部の前記表現を含む前記画像を示す前記データに変換する前記画像キャプチャコンポーネントを含む請求項１２に記載の方法。
【請求項１４】
前記タッチスクリーンディスプレイの前記一部の下の前記タッチ対応デバイスに前記画像キャプチャコンポーネントを取り付ける工程を含む請求項１２に記載の方法。
【請求項１５】
前記画像キャプチャコンポーネントに光学部品を取り付ける工程を含み、
前記光学部品は、前記画像キャプチャコンポーネントによって、使用のための所望の構成に、前記放出された光を集束するように構成されている請求項１４に記載の方法。
【請求項１６】
前記発光層を形成する工程は、前記バイオメトリックオブジェクトから受信した電荷に応答して前記光子を放出するように構成されたエレクトロルミネセンス層を形成する工程を含み、
前記発光層は、
前記エレクトロルミネセンス層上に配置された誘電体層と、
前記エレクトロルミネセンス層上に配置され、前記発光層の上部表面から光子の放出を軽減するように構成された遮蔽層と、
前記発光層の上に配置された保護層と、
の１または複数を含む請求項１２に記載の方法。
【請求項１７】
タッチスクリーンディスプレイの一部上に配置された発光層上のバイオメトリックオブジェクトの接触時に、タッチ対応デバイス上に配置された前記発光層から前記タッチスクリーンディスプレイに向けて光を放出する工程と、
前記放出された光の少なくとも一部を、前記バイオメトリックオブジェクトの少なくとも一部の表現を含む画像を示すデータに変換するために画像センサを使用する工程と、
を含み、
前記発光層は、ユーザが前記タッチスクリーンディスプレイ上に表示されたオブジェクトを前記発光層を介して視認することを可能にし、
前記画像センサは、前記タッチスクリーンディスプレイの前記一部で、前記発光層の下に配置され、
前記画像センサは、前記ユーザが前記タッチスクリーンディスプレイの前記一部で前記タッチスクリーンディスプレイ上に表示されたオブジェクトを視認することを可能にすることを特徴とするバイオメトリックセンサを使用する方法。
【請求項１８】
前記画像センサと通信接続された画像プロセッサを使用して、前記バイオメトリックオブジェクトの前記画像を発生させる工程を含む、請求項１７に記載の方法。
【請求項１９】
前記タッチスクリーンディスプレイ上に表示された前記オブジェクトの一部で前記発光層と接触する前記バイオメトリックオブジェクトに応答して、前記デバイスの機能を開始する工程を含む請求項１７に記載の方法。
【請求項２０】
前記発光層から前記タッチスクリーンディスプレイに向けて光を放出する工程は、前記デバイスの前記表面に接触する前記バイオメトリックオブジェクトから受け取った電荷に応答して前記光子を放出する工程を含む請求項１７に記載の方法。
【手続補正２】
【補正対象書類名】明細書
【補正対象項目名】０００６
【補正方法】変更
【補正の内容】
【０００６】
一実施形態では、バイオメトリック（生体認証）センサシステム（biometric sensor system）は、発光層（luminescent layer）を含む。その発光層は、タッチ対応デバイスのタッチスクリーンディスプレイの一部上に配置されている。この実施形態では、発光層は、バイオメトリックオブジェクト（生体対象）（biometric object）からの接触時、タッチスクリーンディスプレイに向けて光子を放出するように構成されている。また、バイオメトリックセンサシステムは、画像キャプチャコンポーネントを含む。それは、タッチスクリーンディスプレイの一部で、発光層の真下に配置されている。この実施形態において、画像キャプチャコンポーネントは、放出された光子の少なくとも一部をデータに変換するように構成されている。そのデータは、バイオメトリックオブジェクトの少なくとも一部の表現（representation）を含む画像を示す。